(57)【要約】【課題】印刷物の持ち去りを抑止し、持ち去られた場合であってもその者を特定する。【解決手段】印刷の指示を受けてからその印刷を終了した後の所定の第１のタイミングまで人物の接近を検知する人感センサと、人感センサが人物の接近を検知した場合、その人物を特定する人物特定情報を取得する情報取得部６９と、情報取得部６９が取得した人物特定情報を印刷の印刷ジョブと対応付けて記憶する制御部２３とを有する。【選択図】図２
2020100069.tif 000002
【特許請求の範囲】
【請求項１】
印刷の指示を受けてから該印刷を終了した後の所定の第１のタイミングまで人物の接近を検知する接近センサと、
前記接近センサが人物の接近を検知した場合、該人物を特定する人物特定情報を取得する情報取得部と、
前記情報取得部が取得した人物特定情報を前記印刷の印刷ジョブと対応付けて記憶する制御部とを有する印刷装置。
【請求項２】
請求項１に記載の印刷装置において、
前記情報取得部は、前記接近センサが人物の接近を検知してから前記人物の接近を検知しなくなるまでの間、所定の第２のタイミングで前記人物特定情報を取得する印刷装置。
【請求項３】
請求項１または請求項２に記載の印刷装置において、
前記情報取得部は、前記人物特定情報として前記人物の撮影された顔の画像を取得する印刷装置。
【請求項４】
請求項１または請求項２に記載の印刷装置において、
前記情報取得部は、ネットワークカメラが撮像した画像を取得し、
前記制御部は、前記情報取得部が前記ネットワークカメラから取得した画像のうち、前記接近センサが人物の接近を検知してから前記人物の接近を検知しなくなるまでの間の画像を前記人物特定情報として取得し、該取得した人物特定情報を前記印刷の印刷ジョブと対応付けて記憶する印刷装置。
【請求項５】
請求項３または請求項４に記載の印刷装置において、
前記人物の画像と該人物の識別情報とをあらかじめ対応付けて記憶するデーターベースを有し、
前記制御部は、前記データーベースにて前記印刷の指示に含まれる前記識別情報と対応付けられている画像と、前記取得した画像に含まれる人物の画像とが一致しない場合、前記取得した画像を記憶する印刷装置。
【請求項６】
請求項３から５のいずれか１項に記載の印刷装置において、
前記制御部が記憶している画像を表示する表示部を有する印刷装置。
【請求項７】
請求項３から５のいずれか１項に記載の印刷装置において、
前記制御部が記憶している画像を所定の送信先へ送信する送信部を有する印刷装置。
【請求項８】
請求項１から７のいずれか１項に記載の印刷装置において、
前記印刷を終了した媒体が積載される積載部と、
前記積載部に積載された前記媒体を検知する媒体センサを有し、
前記接近センサは、前記媒体センサが前記媒体の少なくとも一部が前記積載部から無くなったと判別した場合、前記人物の接近の検知を終了する印刷装置。
【請求項９】
印刷の指示を受けてから該印刷を終了した後の所定の第１のタイミングまで人物の接近を検知する処理と、
前記人物の接近を検知した場合、該人物を特定する人物特定情報を取得する処理と、
前記取得した人物特定情報を前記印刷の印刷ジョブと対応付けて記憶する処理とを行う情報処理方法。
【発明の詳細な説明】
【技術分野】
【０００１】
本発明は、印刷装置および情報処理方法に関する。
【背景技術】
【０００２】
近年、セキュリティ機能を有する画像処理装置が知られている。例えば、特許文献１には、セキュリティ監視機能の起動を契機としてユーザの顔を撮像して検知し、セキュリティ監視機能の作動中に当該ユーザの顔を検知できなくなったらセキュリティ保護機能を発動することが記載されている。また、セキュリティ監視機能の作動中に当該ユーザ以外の者の顔を検知したらセキュリティ保護機能を発動することも記載されている。セキュリティ保護機能としては、装置が実行している処理を強制的に終了させる機能や、ユーザに対して警告を発する機能がある。
【先行技術文献】
【特許文献】
【０００３】
【特許文献１】特開２０１５−２２６２９４号公報
【発明の概要】
【発明が解決しようとする課題】
【０００４】
しかしながら、上述した特許文献１に記載された技術では、例えば、セキュリティ機能付き装置を画像処理装置に適用して印刷を行う場合、印刷者が画像処理装置の前から離れるとセキュリティ保護機能が発動するため、印刷が強制終了されてしまうおそれがある。特に、大きな印刷物の印刷や大量枚数の印刷により印刷開始から終了まで時間が長くかかる場合や、画像処理装置の設置場所がパソコン等の印刷実行場所から離れている場合には、印刷者が画像処理装置の前で待機していなければならない。その結果、利便性が低下するおそれがある。そこで、利便性を確保しながら、印刷を実行したユーザ以外の者が印刷物を持ち去ってしまった場合であっても、その者を特定できる方法が必要となる。
【０００５】
本発明の目的は、上記課題を解決する印刷装置および情報処理方法を提供することにある。
【課題を解決するための手段】
【０００６】
本発明の印刷装置は、
印刷の指示を受けてから該印刷を終了した後の所定のタイミングまで人物の接近を検知する接近センサと、
前記接近センサが人物の接近を検知した場合、該人物を特定する人物特定情報を取得する情報取得部と、
前記情報取得部が取得した人物特定情報を前記印刷の印刷ジョブと対応付けて記憶する制御部とを有する。
【０００７】
本発明の情報処理方法は、
印刷の指示を受けてから該印刷を終了した後の所定のタイミングまで人物の接近を検知する処理と、
前記人物の接近を検知した場合、該人物を特定する人物特定情報を取得する処理と、
前記取得した人物特定情報を前記印刷の印刷ジョブと対応付けて記憶する処理とを行う。
【発明の効果】
【０００８】
本発明においては、印刷物の持ち去りを抑止できるとともに、持ち去られた場合であってもその者を特定することができる。
【図面の簡単な説明】
【０００９】
【図１】本発明の印刷装置の一例である画像処理装置の実施の一形態を示す図である。
【図２】図１に示した画像処理装置の内部構成の一例を示す図である。
【図３】図２に示したエンジン部の内部構成の一例を示す図である。
【図４】情報処理方法の第１の例を説明するためのフローチャートである。
【図５】情報処理方法の第２の例を説明するためのフローチャートである。
【図６】情報処理方法の第３の例を説明するためのフローチャートである。
【図７】情報処理方法の第４の例を説明するためのフローチャートである。
【図８】印刷ジョブの設定画面の一例を示す図である。
【図９】情報処理方法の第５の例を説明するためのフローチャートである。
【図１０】図２に示した表示パネルにてセキュリティ監視時間を設定するための表示画面の一例を示す図である。
【図１１】情報処理方法の第６の例を説明するためのフローチャートである。
【図１２】印刷物を取り出したかどうかをユーザに対して確認する表示画面の一例を示す図である。
【図１３】情報処理方法の第７の例を説明するためのフローチャートである。
【図１４】ユーザ登録用の表示画面の一例を示す図である。
【図１５】情報処理方法の第８の例を説明するためのフローチャートである。
【図１６】積載部に印刷物の有無を検知するセンサを設けたエンジン部の例を示す図である。
【図１７】情報処理方法の第９の例を説明するためのフローチャートである。
【図１８】印刷物がすべて取り出されたことを検知した時に実行される処理の一例を説明するためのフローチャートである。
【図１９】印刷物の一部またはすべてが取り出されたことを検知した時に実行される処理の一例を説明するためのフローチャートである。
【図２０】情報処理方法の第１０の例を説明するためのフローチャートである。
【図２１】印刷物がすべて取り出されたことを検知した時に実行される処理の他の例を説明するためのフローチャートである。
【図２２】印刷物の一部またはすべてが取り出されたことを検知した時に実行される処理の他の例を説明するためのフローチャートである。
【発明を実施するための形態】
【００１０】
以下に、図面を参照しながら、この発明の好適な実施の形態を例示的に詳細に説明する。この実施の形態に記載されている構成要素の相対配置、表示画面等は、この発明の範囲をそれらのみに限定するものではない。
【００１１】
図１は、本発明の印刷装置の一例である画像処理装置の実施の一形態を示す図である。図１（Ａ）には、画像処理装置の外観および他の装置との接続形態の一例を示す。図１（Ａ）に示した画像処理装置１は、外部から入力した情報や、内部にあらかじめ保持している情報を用いて印刷用紙に印刷を行う印刷装置である。複数のホストコンピュータ２は、ネットワークハブ３およびネットワークケーブル４を介して画像処理装置１と接続され、画像処理装置１へ印刷データや画像処理装置１を制御するための情報（以下、印刷ジョブと称する）を送信する。ロール紙５は、画像処理装置１にセットされた、ロール上に巻き取られた印刷用紙である。メインカバー６は、ロール紙５を給紙するときや、後述する印字ヘッドやカッターユニット１１を交換するときに開けるものである。図１（Ａ）においては、メインカバー６が開いている状態を示している。リリースレバー７は、後述するローラをプラテン１２に押し付けてロール紙５を固定したり、プラテン１２から離してロール紙５を挿入可能としたりするためのレバーである。図１（Ａ）においては、リリースレバー７が解除された状態を示している。操作キー８は、画像処理装置１の動作に関するさまざまな設定や入力のための外部からの操作を受け付けたり、画像処理装置１を単独で使用する場合に操作を行ったりするためのマンマシンインタフェース部である。操作キー８は上下左右、ＯＫ、キャンセル等の複数のキーから構成される。表示パネル９は、画像処理装置１の状態の表示や、操作キー８を用いて画像処理装置１の動作設定を行う場合の設定内容の表示などを行う表示部である。印刷する用紙の種類や印刷画質なども操作キー８および表示パネル９を用いて設定することができる。なお、表示パネル９がタッチパネル機能を有するものである場合、表示パネル９が操作キー８の機能も有する。メインカバー６の内部にはキャリッジ１０およびそれと一体となったカッターユニット１１が設けられており、それらが左右方向に駆動して印刷および用紙の切断を行なう。プラテン１２は、その上を印刷用紙が前後方向に搬送されるものである。インクタンクカバー５３は、開けることにより後述するインクタンクの装着や交換を行う。撮像部６０は、画像処理装置１周辺の画像を撮像して撮影（撮像した画像をファイル化）する。撮像部６０は、静止画を撮影するものであっても良いし、動画を撮影するものであっても良い。人感センサ６１は、人物が画像処理装置１に接近したことを検知する接近センサである。ネットワークカメラ７０は、ネットワークと接続された機器から画像や動画の撮影指示や、撮影した画像や動画の取得、動作ログ情報の取得などを行う。ネットワークカメラ７０は、画像処理装置１に接近する人物を撮影することができる位置に設置される。
【００１２】
図１（Ｂ）は、図１（Ａ）の示した画像処理装置１に積載部を装着した状態を示す図である。積載部６２は、印刷された印刷物を積載していく。図１（Ｂ）においては、メインカバー６およびリリースレバー７は閉じた状態を示している。
【００１３】
図２は、図１に示した画像処理装置１の内部構成の一例を示す図である。図１に示した画像処理装置１は図２に示すように、コントローラ部１３と、エンジン部１４と、表示パネル９と、操作キー８と、撮像部６０とを有する。コントローラ部１３は、ホストコンピュータ２から送信された印刷ジョブの解析等の処理を行う。エンジン部１４は、コントローラ部１３が解析した結果に基づいて、印刷可能な形式の印刷データを生成する。操作キー８は、外部からの操作に基づいて入力を受け付け、受け付けた情報をコントローラ部１３へ出力する。エンジン部１４は、印刷用紙の給紙を行い、コントローラ部１３が生成した印刷データをロール紙５に印刷して排紙する。エンジン部１４において用紙詰まりや用紙切れ等、印刷ができない状態が発生した場合、エンジン部１４は、コントローラ部１３にその旨を通知する。そして、コントローラ部１３（具体的には、後述するコントローラマイコン１７）は、表示パネル９にその旨を表示させ、ホストコンピュータ２への通知処理などを行う。撮像部６０は、画像処理装置１の周辺にいる人物の顔を撮像して撮影する。撮像部６０は、画像処理装置１の周辺にいる人物の画像を撮影するだけではなく、その人物を特定できる情報（人物特定情報）を取得するものであっても良い。例えば、撮像部６０は、人物の目や指紋等を撮影するものであっても良い。また、撮像部６０は、人物の顔の画像を撮影するものである場合、人物の顔の画像を撮影できる所定の位置および角度に設置されているものであっても良い。また、撮像部６０は、人物の顔を認識できる機能を有し、撮影の向きをその機能を用いて顔を認識した方向へ移動可能なものであっても良い。
【００１４】
コントローラ部１３は、コントローラマイコン１７と、システムメモリ１８と、インターフェース回路１９と、受信バッファ２０と、印刷データ用画像処理回路２１と、コントローラメモリ２２と、撮像部用画像処理回路６３と、情報取得部６９とを有する。なお、インターフェース回路１９は、以下、Ｉ／Ｆ回路１９と称する。コントローラマイコン１７、システムメモリ１８、受信バッファ２０、印刷データ用画像処理回路２１およびコントローラメモリ２２で制御部を構成する。システムメモリ１８は、内部に記憶された情報を外部から読み取ることが可能なデーターベースである。なお、システムメモリ１８の代わりに、画像処理装置１の外部にデーターベースを設け、コントローラマイコン１７が通信ネットワークを介して、データーベースへデータの書き込みおよびデーターベースからのデータの読み出しを行うものであっても良い。
コントローラマイコン１７は、外部から入力された印刷ジョブの解析、画像処理、ビットマップへの変換処理などの制御を司る。例えば、コントローラマイコン１７は、操作キー８が受け付けた操作に基づいて、画像処理装置１の動作環境の設定などの適切な処理を行う。また、コントローラマイコン１７は、操作キー８が受け付けた操作に基づいて、表示パネル９に対して、画像処理装置１の状態表示や使用者に対して操作キー８による操作を促すための表示などを行うように指示する。Ｉ／Ｆ回路１９は、例えば、ホストコンピュータ２等の外部の装置との間で通信を行う送信部および受信部である。
【００１５】
印刷データの流れを以下に説明する。ホストコンピュータ２から画像処理装置１に入力した印刷ジョブは、Ｉ／Ｆ回路１９を介して受信バッファ２０に格納される。Ｉ／Ｆ回路１９は、印刷ジョブを受信したことをコントローラマイコン１７へ通知する。印刷ジョブには、画像データや、印刷用紙のサイズや種類などの様々な設定情報が含まれる。コントローラマイコン１７は、受信した印刷ジョブを解析し、解析した結果に基づいて印刷データ用画像処理回路２１およびエンジン部１４へ所定の指示を行う。印刷データ用画像処理回路２１は、受信バッファ２０に格納された画像データをビットマップ形式とする画像処理を行い、コントローラメモリ２２に格納する。コントローラメモリ２２に格納された画像データはエンジン部１４へ送出される。
撮像部６０は撮影した画像を撮像部用画像処理回路６３へ出力し、撮像部用画像処理回路６３は、撮像部６０から出力されてきた画像を画像処理して情報取得部６９へ出力する。情報取得部６９は、撮像部用画像処理回路６３から出力されてきた画像等の人物特定情報を取得し、コントローラマイコン１７へ出力する。情報取得部６９は、図１に示したネットワークカメラ７０が撮影した画像が送信されてきた場合、その画像をＩ／Ｆ回路１９を介して受信してコントローラマイコン１７へ出力する。撮像部６０、撮像部用画像処理回路６３および情報取得部６９の制御は、コントローラマイコン１７からの指示信号を用いて行われる。
【００１６】
図３は、図２に示したエンジン部１４の内部構成の一例を示す図である。図３は、図１に示した画像処理装置１を側面から見たイメージを示す。図３（Ａ）は、ロール紙５は給紙されていない状態、メインカバー６は開いた状態、リリースレバー７は解除された状態、積載部６２は装着されていない状態を示す。図２に示したエンジン部１４は図３（Ａ）に示すように、エンジンマイコン４１と、エンジンメモリ４２と、キャリッジモータ４３と、印字ヘッド４４と、ヘッドドライバ４５と、ローラ４６と、ＬＦモータ４７と、給紙センサ４８と、排紙センサ４９と、カッターモータ５０と、ソレノイド５１と、プログラムメモリ５２と、インクタンクカバー５３と、インクタンク５４と、インクチューブ５５と、用紙センサ５６と、用紙センサ信号処理回路５７と、人感センサ６１と、人感センサ用信号処理回路６４とを有する。図３（Ａ）に示した例では、インクタンク５４およびインクチューブ５５は６色分あるものとする。図３（Ａ）に示すようにメインカバー６が開いていてリリースレバー７が解除されている状態では、ローラ４６やキャリッジ１０の駆動は行われない。また、リリースレバー７の解除によりローラ４６がプラテン１２から離れた状態になっている。そのため、ロール紙５をプラテン１２上に挿入することができ、その後、メインカバー６およびリリースレバー７を閉じると、エンジン部１４は給紙および印刷動作を開始する。
【００１７】
図３（Ｂ）は、ロール紙５が給紙され、メインカバー６およびリリースレバー７が閉じた状態を示す。図３（Ｂ）に示した構成における動作について説明する。ロール紙５の給紙および排紙、印字ヘッド４４の制御などの制御はエンジンマイコン４１が司る。コントローラ部１３から送出されたビットマップはエンジンメモリ４２に格納される。ロール紙５の給紙および排紙は、ユーザがロール紙５の先端を給紙部に挿入後、ＬＦモータ４７を駆動してローラ４６を回転させることにより行う。給紙と排紙とが正常に動作しているかどうかは、給紙センサ４８と排紙センサ４９とを用いてロール紙５の有無を検知することにより判別する。用紙センサ５６はキャリッジ１０上に設けられており、用紙の有無や印刷の濃度を検知する。用紙センサ５６は、キャリッジ１０を紙面および印刷用紙の搬送方向に垂直な方向に往復運動を行ないながら用紙の有無を連続的に検知することにより、用紙の幅を検出する。また、用紙センサ５６は、用紙の印刷の濃度を連続的に検知することにより、用紙に印刷されているパターンを検出する。用紙センサ５６が検出した信号は、用紙センサ信号処理回路５７により増幅されてエンジンマイコン４１に取り込まれる。ロール紙５の有無を検知する場合と印刷の濃度を検知する場合とで用紙センサ信号処理回路５７における増幅度を変化させることにより、精度よく信号を検出する。印字ヘッド４４はキャリッジ１０と一体化されており、ヘッドドライバ４５を用いてドライブされる。印字ヘッド４４へは６色のインクがインクタンク５４からインクチューブ５５内を通って供給される。キャリッジ１０は、キャリッジモータ４３の制御に基づいて紙面および印刷用紙の搬送方向に垂直な方向に往復運動を行い、印字ヘッド４４を用いてロール紙５上に印字を行なう。印字が終了すると、カッターモータ５０が、キャリッジ１０と一体化されたカッターユニット１１を降下させ、紙面および印刷用紙の搬送方向に垂直な方向にキャリッジ１０を駆動することによりロール紙５を切断する。切断されたロール紙５は積載部６２に印刷物として積載されていく。ロール紙５の給紙および印刷中はソレノイド５１がメインカバー６およびリリースレバー７を閉じた状態にロックし、メインカバー６を開けたりリリースレバー７を解除したりすることはできない。ロール紙５が詰まったことを給紙センサ４８と排紙センサ４９とが検知した場合、エンジン部１４は印字を中止し、コントローラ部１３へその旨を通知する。人感センサ６１は、図１で説明したものである。ここで、人感センサ６１は、コントローラ部１３がホストコンピュータ２から印刷ジョブを受信してから（印刷の指示を受けてから）、印刷を終了した後の所定の第１のタイミングまでの間、人物の接近を検知するものである。人感センサ用信号処理回路６４は、人感センサ６１が検知した信号について信号処理を行い、人物の接近状態をエンジンマイコン４１が読み取る。
【００１８】
以下に、図１に示した印刷装置における情報処理方法について説明する。ここで説明する処理は、図２に示したシステムメモリ１８および図３（Ａ）、（Ｂ）に示したプログラムメモリ５２にあらかじめ格納され、コントローラマイコン１７およびエンジンマイコン４１が実行するものである。コントローラマイコン１７およびエンジンマイコン４１は協調して、以下に説明するプログラムフローに従って制御動作を実行する。
【００１９】
図４は、図１に示した画像処理装置１における情報処理方法の第１の例を説明するためのフローチャートである。ここでは、ホストコンピュータ２から印刷ジョブを受信したときの処理を説明する。
【００２０】
まず、Ｉ／Ｆ回路１９がホストコンピュータ２から印刷ジョブを受信したかどうかを判別する（ステップＳ１０１）。Ｉ／Ｆ回路１９がホストコンピュータ２から印刷ジョブを受信すると、受信した印刷ジョブが受信バッファ２０に格納され、Ｉ／Ｆ回路１９がコントローラマイコン１７へ所定の通知を行う。すると、コントローラマイコン１７が人感センサ６１に対して画像処理装置１への人物の接近の検知を開始するように指示し、人感センサ６１が検知（監視）を開始する（ステップＳ１０２）。また、コントローラマイコン１７はエンジン部１４に対して印刷を指示し、エンジン部１４は印刷を開始する（ステップＳ１０３）。ただし、図３（Ａ）に示すようなロール紙５が給紙されていない状態では印刷を開始することはできないため、その場合は、図３（Ｂ）に示すようなロール紙５が給紙されている状態にするように、表示パネル９を用いてユーザに促す。
印刷開始後、人感センサ６１が人物の接近を検知したかどうかを判別する（ステップＳ１０４）。人感センサ６１が人物の接近を検知した場合、撮像部６０は接近した人物の少なくとも顔の画像を撮影する（ステップＳ１０５）。コントローラマイコン１７は、撮像部６０が撮影した画像を、撮像部用画像処理回路６３を介して人物特定情報として取得する。コントローラマイコン１７は、取得した画像を、印刷ジョブと対応付けて、印刷のログ情報であるジョブ履歴情報の１つとしてシステムメモリ１８に記録する（ステップＳ１０６）。ジョブ履歴情報は、画像処理装置１が処理した印刷ジョブに関する履歴が保持され、処理後も参照することが可能な情報である。ジョブ履歴情報は、印刷ジョブの設定情報（用紙サイズや用紙種類など）や印刷ジョブ名、印刷ジョブの実行時刻、印刷完了状態（成功、エラー、キャンセルなど）などの情報を含む。システムメモリ１８に記録されたジョブ履歴情報は、画像処理装置１からの印刷や表示パネル９における表示、ホストコンピュータ２へ送信して表示するなどにより、外部から参照することが可能である。その後、コントローラマイコン１７は、印刷が終了したかどうかを判別する（ステップＳ１０７）。
【００２１】
一方、ステップＳ１０４にて人感センサ６１が人物の接近を検知しなかった場合、ステップＳ１０５，Ｓ１０６の処理は行われず、ステップＳ１０７の処理が行われる。なお、Ｓ１０４からＳ１０６の処理において、人物の接近を検知するたびに人物の顔の画像を撮影してジョブ履歴に記録しているが、人物の接近を検知していない状態から検知したときの１回のみ撮影およびジョブ履歴への記録をするようにしても良い。または、人物の接近を検知している間は所定の時間間隔（第２のタイミング）で撮影およびジョブ履歴への記録を繰り返すようにしても良い（以下の説明についても同様）。
ステップＳ１０７にて印刷が終了していなければ、ステップＳ１０４の処理が再度行われる。一方、ステップＳ１０７にて印刷が終了した場合、人感センサ６１が人物の接近を検知したかどうかを判別する（ステップＳ１０８）。人感センサ６１が人物の接近を検知した場合、撮像部６０は接近した人物の少なくとも顔の画像を撮影する（ステップＳ１０９）。コントローラマイコン１７は、撮像部６０が撮影した画像を、撮像部用画像処理回路６３を介して人物特定情報として取得する。コントローラマイコン１７は、取得した画像を、印刷ジョブと対応付けて、印刷のログ情報であるジョブ履歴情報の１つとしてシステムメモリ１８に記録する（ステップＳ１１０）。その後、コントローラマイコン１７は、印刷終了後、所定の時間が経過したかどうかを判別する（ステップＳ１１１）。この所定の時間は、例えば、印刷を行ってから、印刷者がその印刷物を取り出しに来るまでの時間としてあらかじめ算出されたもので良く、操作キー８を用いて外部からあらかじめ設定された時間である。
【００２２】
一方、ステップＳ１０８にて人感センサ６１が人物の接近を検知しなかった場合、ステップＳ１０９，Ｓ１１０の処理は行われず、ステップＳ１１１の処理が行われる。
ステップＳ１１１にて所定の時間が経過していない場合、ステップＳ１０８の処理が再度行われる。一方、ステップＳ１１１にて所定の時間が経過している場合、コントローラマイコン１７が人感センサ６１に対して画像処理装置１への人物の接近の検知を終了するように指示し、人感センサ６１が検知（監視）を終了する（ステップＳ１１２）。続いて、コントローラマイコン１７はステップＳ１０６またはステップＳ１１０にてシステムメモリ１８に記録された画像を読み出して、Ｉ／Ｆ回路１９へ出力し、Ｉ／Ｆ回路１９がホストコンピュータ２へ送信する（ステップＳ１１３）。このとき、画像が記録されたログ情報をコントローラマイコン１７がシステムメモリ１８から読み出して、Ｉ／Ｆ回路１９がホストコンピュータ２へ送信するものであっても良い。ホストコンピュータ２が送信されてきた画像を表示することで、印刷物を取り出した人物を認識することができる。
【００２３】
以上説明した処理では、印刷ジョブ受信後から、印刷終了後所定の時間が経過するまで人物の接近を監視し、人物が接近したら顔画像を撮影して記録する。記録した顔画像はホストコンピュータ２が表示することで確認できる他、ジョブ履歴情報として画像処理装置１の表示パネル９における表示や情報の印刷により確認することができる。これにより、画像処理装置１が印刷した後に印刷したユーザが印刷物を取り出そうとしたときに印刷物が他のユーザに取り去られてしまった場合に、取り去った人物の顔画像を確認することによりその人物を特定することが可能になる。また、人物の接近監視を終了する条件は、印刷終了後所定時間経過としている。
【００２４】
図５は、図１に示した画像処理装置１における情報処理方法の第２の例を説明するためのフローチャートである。ここでは、撮像部６０が人物の顔を撮影する代わりにネットワークカメラ７０が人物の顔を撮影する場合の処理を説明する。なお、図５において、図４を用いて説明した処理と同じ処理については、同じ符号を付与している。図４を用いて説明した処理と異なる処理は、図４におけるステップＳ１０５がステップＳ１８１に、ステップＳ１０９がステップＳ１８２となっている点である。以下、異なる処理について説明する。
【００２５】
ステップＳ１０４にて人感センサ６１が人物の接近を検知した場合、コントローラマイコン１７は、ネットワークカメラ７０に対して撮影の指示を行い、情報取得部６９を介してネットワークカメラ７０が撮影した画像を取得する（ステップＳ１８１）。この処理は、例えば、ネットワークカメラ７０にあらかじめ定められたＵＲＬ（Ｕｎｉｆｏｒｍ  Ｒｅｓｏｕｒｃｅ  Ｌｏｃａｔｏｒ）にコントローラマイコン１７がアクセスすることにより行われる。また、このとき、コントローラマイコン１７は、ネットワークカメラ７０が撮影した画像のうち、人感センサ６１が人物の接近を検知してから人物の接近を検知しなくなるまでの間の画像を人物特定情報として取得する。そして、コントローラマイコン１７は、取得した画像を印刷ジョブと対応付けて、ジョブ履歴情報に含めて記憶する。ステップＳ１０８にて人感センサ６１が人物の接近を検知した場合、コントローラマイコン１７は、ネットワークカメラ７０に対して撮影の指示を行い、情報取得部６９を介してネットワークカメラ７０が撮影した画像を取得する（ステップＳ１８２）。コントローラマイコン１７は、取得した画像を印刷ジョブと対応付けて、ジョブ履歴情報に含めて記憶する。
【００２６】
図５を用いて説明した処理では、画像処理装置１とネットワークカメラ７０とが連携して、画像処理装置１に接近した人物を撮影して画像を印刷ジョブと対応付けて、ジョブ履歴情報に含めて記録する。そのため、撮像部６０を具備しない画像処理装置１であっても、接近する人物を監視して顔画像を撮影し、印刷ジョブと対応付けて、ジョブ履歴情報に含めて記録することが可能になる。
【００２７】
図６は、図１に示した画像処理装置１における情報処理方法の第３の例を説明するためのフローチャートである。ここでは、コントローラマイコン１７が取得する画像が静止画ではなく、動画である場合の処理について説明する。なお、図６において、図４を用いて説明した処理と同じ処理については、同じ符号を付与している。図４を用いて説明した処理と異なる処理は、図４におけるステップＳ１０５，Ｓ１０６がステップＳ１９１〜Ｓ１９５に、ステップＳ１０９，Ｓ１１０がステップＳ１９６〜Ｓ２００となっている点である。以下、異なる処理について説明する。
【００２８】
ステップＳ１０４にて人感センサ６１が人物の接近を検知した場合、撮像部６０が動画を撮影中であるかどうかをコントローラマイコン１７が判別する（ステップＳ１９１）。撮像部６０が動画を撮影中でなければ、撮像部６０が動画の撮影を開始する（ステップＳ１９２）。そして、ステップＳ１０７にて、コントローラマイコン１７は、印刷が終了したかどうかを判別する。
【００２９】
一方、ステップＳ１０４にて人感センサ６１が人物の接近を検知しなかった場合、撮像部６０が動画を撮影中であるかどうかをコントローラマイコン１７が判別する（ステップＳ１９３）。撮像部６０が動画を撮影中であれば、撮像部６０が動画の撮影を終了する（ステップＳ１９４）。そして、撮像部６０が撮影した動画をコントローラマイコン１７が印刷ジョブと対応付けて、ジョブ履歴情報に含めて記録する（ステップＳ１９５）。そして、ステップＳ１０７にて、コントローラマイコン１７は、印刷が終了したかどうかを判別する。
【００３０】
また、ステップＳ１９１にて、撮像部６０が動画を撮影中である場合、およびステップＳ１９３にて、撮像部６０が動画を撮影中でない場合、ステップＳ１０７の処理が行われる。
【００３１】
さらに、ステップＳ１０８にて人感センサ６１が人物の接近を検知した場合、撮像部６０が動画を撮影中であるかどうかをコントローラマイコン１７が判別する（ステップＳ１９６）。撮像部６０が動画を撮影中でなければ、撮像部６０が動画の撮影を開始する（ステップＳ１９７）。そして、ステップＳ１１１にて、コントローラマイコン１７は、印刷終了後、所定の時間が経過したかどうかを判別する。
【００３２】
一方、ステップＳ１０８にて人感センサ６１が人物の接近を検知しなかった場合、撮像部６０が動画を撮影中であるかどうかをコントローラマイコン１７が判別する（ステップＳ１９８）。撮像部６０が動画を撮影中であれば、撮像部６０が動画の撮影を終了する（ステップＳ１９９）。そして、撮像部６０が撮影した動画をコントローラマイコン１７が印刷ジョブと対応付けて、ジョブ履歴情報に含めて記録する（ステップＳ２００）。そして、ステップＳ１１１にて、コントローラマイコン１７は、印刷終了後、所定の時間が経過したかどうかを判別する。
【００３３】
また、ステップＳ１９６にて、撮像部６０が動画を撮影中である場合、およびステップＳ１９８にて、撮像部６０が動画を撮影中でない場合、ステップＳ１１１の処理が行われる。
【００３４】
図６を用いて説明した処理では、人物の接近を検知している間は動画撮影をして、撮影した動画を印刷ジョブと対応付けて、ジョブ履歴情報に含めて記録するようにしている。そのため、静止画を用いる場合よりも接近した人物を特定しやすくすることが可能になる。
【００３５】
図７は、図１に示した画像処理装置１における情報処理方法の第４の例を説明するためのフローチャートである。ここでは、撮影した動画の撮影時刻を印刷ジョブと対応付けて、ジョブ履歴情報に含めて記録する処理について説明する。なお、図７において、図６を用いて説明した処理と同じ処理については、同じ符号を付与している。図６を用いて説明した処理と異なる処理は、図６におけるステップＳ１９５がステップＳ２０１に、ステップＳ２００がステップＳ２０２となっている点である。以下、異なる処理について説明する。
【００３６】
ネットワークカメラ７０は動作ログ情報を記録しており、撮影開始や撮影終了などのタイミングを時刻情報とともに記録している。ステップＳ１９４にて、撮像部６０またはネットワークカメラ７０が動画の撮影を終了する。その結果、撮像部６０またはネットワークカメラ７０が撮影した動画の撮影時刻をコントローラマイコン１７が印刷ジョブと対応付けて、ジョブ履歴情報に含めて記録する（ステップＳ２０１）。また、ステップＳ１９９にて、撮像部６０またはネットワークカメラ７０が動画の撮影を終了する。そして、撮像部６０またはネットワークカメラ７０が撮影した動画の撮影時刻をコントローラマイコン１７が印刷ジョブと対応付けて、ジョブ履歴情報に含めて記録する（ステップＳ２０２）。
【００３７】
図７を用いて説明した処理では、コントローラマイコン１７がネットワークカメラ７０から情報取得部６９を介して動作ログ情報を取得する。そして、コントローラマイコン１７が、取得した動作ログ情報から撮影開始時刻と撮影終了時刻とを抽出して印刷ジョブと対応付けて、ジョブ履歴情報に含めて記録する。印刷終了後、ジョブ履歴情報に記録された撮影開始時刻と撮影終了時刻とに基づいてネットワークカメラ７０に対して動画参照を指示することにより、所望の時刻に撮影された動画を参照することができる。このようにすることで、動画自体をジョブ履歴情報に含めて記録するものと比べて、記録容量を大幅に削減することが可能になる。
【００３８】
図８は、印刷ジョブの設定画面の一例を示す図である。この設定画面は、ホストコンピュータ２に表示される。印刷ジョブの設定画面は図８に示すように、印刷の用紙サイズ、給紙方法、用紙の種類、印刷品質を選択して設定可能とするとともに、セキュリティ監視解除時間も設定可能とする画面である。これらのパラメータを外部からの操作で設定後にＯＫボタンを押すと、ホストコンピュータ２が、印刷する画像情報とともに、ここで設定した情報も含めて印刷ジョブを生成し、ホストコンピュータ２から画像処理装置１へ送信されて印刷が開始される。この設定画面は、図２に示した表示パネル９が表示するものであっても良い。
【００３９】
図９は、図１に示した画像処理装置１における情報処理方法の第５の例を説明するためのフローチャートである。ここでは、人物の接近監視を終了する条件を印刷終了後印刷ジョブで指定された時間を経過したこととする処理について説明する。なお、図９において、図４を用いて説明した処理と同じ処理については、同じ符号を付与している。図４を用いて説明した処理と異なる処理は、図４におけるステップＳ１１１がステップＳ１２１となっている点である。以下、異なる処理について説明する。
【００４０】
ステップＳ１１０にて、コントローラマイコン１７は、取得した画像を印刷の印刷ジョブと対応付けて、印刷のログ情報であるジョブ履歴情報の１つとしてシステムメモリ１８に記録する。そして、印刷終了後、コントローラマイコン１７は、印刷ジョブで指定された時間が経過したかどうかを判別する（ステップＳ１２１）。印刷終了後、印刷ジョブで指定された時間が経過している場合、ステップＳ１１２にて、人感センサ６１が検知（監視）を終了する。印刷終了後、印刷ジョブで指定された時間が経過するまで、ステップＳ１０８〜Ｓ１２１の処理が繰り返される。
【００４１】
図９を用いて説明した処理では、印刷終了後にユーザが印刷ジョブで設定した時間が経過するまで人物の接近監視を行う。そのため、ユーザの印刷環境（ホストコンピュータ２から画像処理装置１までの距離など）やそのときの状況により、印刷を指示してから印刷物を取得するまでの時間をユーザ自身が考慮して、人物の接近監視を行う時間を設定することができる。
【００４２】
図１０は、図２に示した表示パネル９にてセキュリティ監視時間を設定するための表示画面の一例を示す図である。設定表示画面として表示された選択肢の中から所望の監視時間を、操作キー８を用いて選択し、操作キー８のＯＫキーを押すことによりセキュリティ監視時間が確定する。
【００４３】
図１１は、図１に示した画像処理装置１における情報処理方法の第６の例を説明するためのフローチャートである。ここでは、人物の接近監視を終了する条件を印刷終了後操作キー８および表示パネル９で設定された時間を経過したこととする処理について説明する。なお、図１１において、図４を用いて説明した処理と同じ処理については、同じ符号を付与している。図４を用いて説明した処理と異なる処理は、図４におけるステップＳ１１１がステップＳ１４１となっている点である。以下、異なる処理について説明する。
【００４４】
ステップＳ１１０にて、コントローラマイコン１７は、取得した画像を印刷の印刷ジョブと対応付けて、印刷のログ情報であるジョブ履歴情報の１つとしてシステムメモリ１８に記録する。そして、印刷終了後、コントローラマイコン１７は、操作キー８および表示パネル９で設定された時間が経過したかどうかを判別する（ステップＳ１４１）。印刷終了後、操作キー８および表示パネル９で設定された時間が経過している場合、ステップＳ１１２にて、人感センサ６１が検知（監視）を終了する。印刷終了後、操作キー８および表示パネル９で設定された時間が経過するまで、ステップＳ１０８〜Ｓ１４１の処理が繰り返される。
【００４５】
図１１を用いて説明した処理では、印刷終了後、ユーザが操作キー８および表示パネル９を用いて設定した時間が経過するまで人物の接近監視を行う。図９を用いて説明した印刷ジョブでの指定と同様にユーザが時間を設定することができる。印刷ジョブでの指定は印刷するごとに指定する必要があるのに対し、図１１を用いて説明した処理では必要な時のみ設定変更すれば良いため、設定の手間が軽減される。
【００４６】
図１２は、図２に示した表示パネル９を用いて印刷物を取り出したかどうかをユーザに対して確認する表示画面の一例を示す図である。ユーザが印刷物を取得したときにこの画面が表示パネル９に表示されている状態で操作キー８のＯＫキーを押すことにより、印刷物が取得されたことを画像処理装置１が認識する。
【００４７】
図１３は、図１に示した画像処理装置１における情報処理方法の第７の例を説明するためのフローチャートである。ここでは、人物の接近監視を終了する条件を、印刷物を取得したことをユーザが画像処理装置１に指示することとする処理について説明する。なお、図１３において、図４を用いて説明した処理と同じ処理については、同じ符号を付与している。図４を用いて説明した処理と異なる処理は、図４におけるステップＳ１１１がステップＳ１６１となっている点である。以下、異なる処理について説明する。
【００４８】
ステップＳ１１０にて、コントローラマイコン１７は、取得した画像を印刷の印刷ジョブと対応付けて、印刷のログ情報であるジョブ履歴情報の１つとしてシステムメモリ１８に記録すると、印刷終了後、図１２に示した画面を表示パネル９が表示する。その後、コントローラマイコン１７は、操作キー８のＯＫキーが押されたかどうかを判別する（ステップＳ１６１）。印刷終了後、表示パネル９が表示した画面に対して操作キー８のＯＫキーが押された場合、ステップＳ１１２にて、人感センサ６１が検知（監視）を終了する。印刷終了後、表示パネル９が表示した画面に対して操作キー８のＯＫキーが押されるまで、ステップＳ１０８〜Ｓ１６１の処理が繰り返される。
【００４９】
図１１を用いて説明した処理では、印刷終了後にユーザが印刷物を取得して、表示パネル９に表示された画面に対して操作キー８を用いて、取り出しを完了したことを指示するまで人物の接近監視を行う。そのため、図９を用いて説明した処理または図１１を用いて説明した処理での時間設定と比較して、ユーザによる印刷物の取得と人物の接近監視を終了するタイミングを一致させることができ、効率のよい人の接近監視を実現することができる。
【００５０】
図１４は、図２に示した表示パネル９に表示されたユーザ登録用の表示画面の一例を示す図である。図１４に示すように表示パネル９に表示された画面を用いることで、ユーザは、ユーザＩＤおよび電子メールアドレス（以下、メールアドレスと称する）を設定するとともに、顔の画像を撮影することができる。ユーザＩＤおよびメールアドレスは、図２に示した操作キー８の上下キーを用いて文字を変更し、左右キーを用いて文字の位置を変更し、ＯＫキーを押すことにより確定される。顔画像の撮影は、操作キー８の上下キーを用いて表示画面の「撮影実行」にフォーカス（カーソル）を移動し、ＯＫキーを押すことにより撮影が実行される。入力されたユーザＩＤ、メールアドレス、撮影された顔画像は、システムメモリ１８に保存されて登録される。このユーザ登録は、表示パネル９に表示される設定メニューの中から機能を呼び出すことにより実行可能であり、複数のユーザを登録することができる。
【００５１】
図１５は、図１に示した画像処理装置１における情報処理方法の第８の例を説明するためのフローチャートである。ここでは、画像処理装置１を使用するユーザを登録し、登録したユーザのみが画像処理装置１を使用できるようにした場合の、ホストコンピュータ２から印刷ジョブを受信したときの処理について説明する。以下に説明する処理は、コントローラマイコン１７およびエンジンマイコン４１がフローチャートに関するプログラムを読み出して実行することで実現される。つまり、コントローラマイコン１７およびエンジンマイコン４１は互いに協調して、プログラムの実行フローに従って制御動作を実行する。
【００５２】
まず、Ｉ／Ｆ回路１９がホストコンピュータ２から印刷ジョブを受信したかどうかを判別する（ステップＳ２０１）。Ｉ／Ｆ回路１９がホストコンピュータ２から印刷ジョブを受信すると、受信した印刷ジョブが受信バッファ２０に格納され、Ｉ／Ｆ回路１９がコントローラマイコン１７へ所定の通知を行う。すると、コントローラマイコン１７は、受信した印刷ジョブが、あらかじめ登録されたユーザの印刷ジョブであるかどうかを判別する（ステップＳ２０２）。ホストコンピュータ２上でドライバにより印刷に関する設定をするときにユーザＩＤも設定することにより、印刷ジョブにユーザＩＤの情報も含まれた状態で画像処理装置１に送信されてくる。ステップＳ２０２では、コントローラマイコン１７は、ホストコンピュータ２から送信されてきた印刷ジョブに含まれるユーザＩＤが、図１４に示した表示画面を用いてあらかじめ登録された複数のユーザＩＤの中に含まれているかどうかを判別する。この判別結果を用いて、コントローラマイコン１７は、受信した印刷ジョブが、登録されたユーザの印刷ジョブかどうかを判別する。受信した印刷ジョブが、あらかじめ登録されたユーザの印刷ジョブではないと判別された場合、コントローラマイコン１７は、所定のエラー通知を行う（ステップＳ２０３）。このエラー通知は、エラーが発生した旨が表示パネル９やホストコンピュータ２に表示されるものであっても良いし、あらかじめ登録されていないユーザであるために印刷ができない旨が表示パネル９やホストコンピュータ２に表示されるものであっても良い。すると、コントローラマイコン１７は、受信した印刷ジョブを削除する（ステップＳ２０４）。このように、受信した印刷ジョブが、あらかじめ登録されたユーザの印刷ジョブではない場合、そのユーザは印刷することはできない。
【００５３】
一方、ステップＳ２０２にて、受信した印刷ジョブが、あらかじめ登録されたユーザの印刷ジョブであると判別された場合、コントローラマイコン１７が人感センサ６１に対して画像処理装置１への人物の接近の検知を開始するように指示する。そして、人感センサ６１が検知（監視）を開始する（ステップＳ２０５）。また、コントローラマイコン１７はエンジン部１４に対して印刷を指示し、エンジン部１４は印刷を開始する（ステップＳ２０６）。ただし、図３（Ａ）に示すようなロール紙５が給紙されていない状態では印刷を開始することはできないため、その場合は、図３（Ｂ）に示すようなロール紙５が給紙されている状態にするように、表示パネル９を用いてユーザに促す。
印刷開始後、人感センサ６１が人物の接近を検知したかどうかを判別する（ステップＳ２０７）。人感センサ６１が人物の接近を検知した場合、コントローラマイコン１７は、印刷ジョブの送信者であると判別された顔の画像と、撮像部６０が撮像している顔の画像とを比較し、接近した人物が印刷ジョブの送信者であるかどうかを判別する（ステップＳ２０８）。接近した人物が印刷ジョブの送信者ではない場合、すなわち印刷ジョブの送信者以外の第三者が接近した場合、撮像部６０は接近した人物の顔の画像を撮影する（ステップＳ２０９）。続いて、コントローラマイコン１７は、撮像部６０が撮影した画像（顔写真）を人物特定情報として、印刷ジョブと対応付けて、印刷のログ情報であるジョブ履歴情報の１つとしてシステムメモリ１８に記録する。その後、コントローラマイコン１７は、印刷が終了したかどうかを判別する（ステップＳ２１０）。例えば、画像処理装置１が、人物の画像と人物の識別情報とをあらかじめ対応付けて記憶するデーターベースを備える。そして、コントローラマイコン１７が、データーベースにおいて印刷の指示に含まれる識別情報と対応付けられている画像と、取得した画像に含まれる人物の画像とが一致しない場合、取得した画像を記録する。
【００５４】
一方、ステップＳ２０７にて人感センサ６１が人物の接近を検知しなかった場合、ステップＳ２０８，Ｓ２０９の処理は行われず、ステップＳ２１０の処理が行われる。
ステップＳ２１０にて印刷が終了していなければ、ステップＳ２０７の処理が再度行われる。印刷が終了するまでステップＳ２０７〜Ｓ２１０の処理が繰り返される。一方、ステップＳ２１０にて印刷が終了した場合、人感センサ６１が人物の接近を検知したかどうかを判別する（ステップＳ２１１）。人感センサ６１が人物の接近を検知した場合、コントローラマイコン１７は、印刷ジョブの送信者であると判別された顔の画像と、撮像部６０が撮像している顔の画像とを比較し、接近した人物が印刷ジョブの送信者であるかどうかを判別する（ステップＳ２１２）。接近した人物が印刷ジョブの送信者ではない場合、すなわち印刷ジョブの送信者以外の第三者が接近した場合、撮像部６０は接近した人物の顔の画像を撮影する（ステップＳ２１３）。続いて、コントローラマイコン１７は、撮像部６０が撮影した画像（顔写真）を人物特定情報として、印刷ジョブと対応付けて、印刷のログ情報であるジョブ履歴情報の１つとしてシステムメモリ１８に記録する。その後、コントローラマイコン１７は、印刷終了後、所定の時間が経過したかどうかを判別する（ステップＳ２１４）。この所定の時間は、例えば、印刷を行ってから、印刷者がその印刷物を取り出しに来るまでの時間としてあらかじめ算出されたもので良く、操作キー８を用いて外部からあらかじめ設定された時間である。
【００５５】
一方、ステップＳ２１１にて人感センサ６１が人物の接近を検知しなかった場合、ステップＳ２１２，Ｓ２１３の処理は行われず、ステップＳ２１４の処理が行われる。
ステップＳ２１４にて所定の時間が経過していない場合、ステップＳ２１１の処理が再度行われる。つまり、印刷終了後、所定の時間が経過するまで、ステップＳ２１１〜Ｓ２１４の処理が繰り返される。一方、ステップＳ２１４にて所定の時間が経過している場合、コントローラマイコン１７が人感センサ６１に対して画像処理装置１への人物の接近の検知を終了するように指示し、人感センサ６１が検知（監視）を終了する（ステップＳ２１５）。続いて、コントローラマイコン１７はシステムメモリ１８に記録された画像（ステップＳ２０８またはステップＳ２１２で撮影した画像）を読み出して、Ｉ／Ｆ回路１９へ出力する。Ｉ／Ｆ回路１９は、コントローラマイコン１７から出力されてきた画像を、印刷ジョブを送信してきたユーザのメールアドレスへ送信する（ステップＳ２１６）。印刷ジョブを送信してきたユーザのメールアドレスが付与された装置が、送信されてきた画像を表示することで、印刷物を取り出した人物を認識することができる。
【００５６】
図１５を用いて説明した処理では、上述した図１に示した画像処理装置１における情報処理方法の第１〜７の例と同様に、印刷ジョブ受信後から、印刷終了後所定時間が経過するまで人物の接近を監視し、人物が接近したら顔画像を撮像して記録する。撮像した顔画像の記録（撮影）は、接近した人物が、印刷ジョブを送信してきたユーザでない場合に行う。その判別は、ユーザ登録としてユーザＩＤ、メールアドレス、顔画像をあらかじめ登録しておき、印刷ジョブを送信してきたユーザのユーザＩＤと対応付けられた顔画像を特定し、接近した人物の顔画像と比較することにより行う。記録された顔画像は、印刷ジョブを送信してきたユーザのメールアドレス宛を送信先として送信される。これにより、印刷したユーザが画像処理装置１で印刷された後に印刷物を取得しようとしたときに、その印刷物が他のユーザに取り去られてしまった場合に、誰が取り去ったかを、メールで送信された顔画像を確認することにより特定することが可能になる。なお、これらの処理では、人物の接近監視を終了する条件を、印刷終了後所定時間経過としている。この条件は、上述した図１に示した画像処理装置１における情報処理方法の第１〜７の例と同様に、印刷終了後印刷ジョブで指定された時間経過したことを条件としても良い。また、印刷終了後操作キー８および表示パネル９を用いて設定された時間経過したことを条件としても良い。また、印刷終了後操作キー８および表示パネル９を用いてユーザが印刷物を取得したことを指示することを条件としても良い。
【００５７】
図１６は、図３（Ｂ）に示したエンジン部１４の内部構成に対して、図１（Ｂ）に示した積載部６２に印刷物の有無を検知するセンサを設けた例を示す図である。この例は、積載部６２に印刷物の有無を検知するセンサを設けることにより印刷物の取り出しを検知するようにした例である。印刷物有無センサ６５は、積載部６２に印刷物が存在するかどうかを検知する反射型の媒体センサである。印刷物有無センサ用信号処理回路６６は、印刷物有無センサ６５が検知した結果を示す信号について、所定の信号処理を行う回路である。エンジンマイコン４１が、信号処理された信号から積載部６２上の印刷物の有無状態を読み取る。印刷物増減センサ６７は、積載部６２に印刷物が存在するかどうかを検知する接触型の媒体センサである。印刷物有無センサ６５は印刷物の有無の判別しかできないが、印刷物増減センサ６７はそれに加えて印刷物の増減も検知することができる。印刷物増減センサ用信号処理回路６８は、印刷物増減センサ６７が検知した結果を示す信号について、所定の信号処理を行う回路である。エンジンマイコン４１が、信号処理された信号から積載部６２上の印刷物の有無状態を読み取る。
【００５８】
図１７は、図１に示した画像処理装置１における情報処理方法の第９の例を説明するためのフローチャートである。ここでは、ホストコンピュータ２から印刷ジョブを受信したときの処理について説明する。また、コントローラマイコン１７およびエンジンマイコン４１がフローチャートに関するプログラムを読み出して実行することで実現される。つまり、コントローラマイコン１７およびエンジンマイコン４１は互いに協調して、プログラムの実行フローに従って制御動作を実行する。
【００５９】
まず、Ｉ／Ｆ回路１９がホストコンピュータ２から印刷ジョブを受信したかどうかを判別する（ステップＳ３０１）。Ｉ／Ｆ回路１９がホストコンピュータ２から印刷ジョブを受信すると、受信した印刷ジョブが受信バッファ２０に格納され、Ｉ／Ｆ回路１９がコントローラマイコン１７へ所定の通知を行う。すると、コントローラマイコン１７が人感センサ６１に対して画像処理装置１への人物の接近の検知を開始するように指示し、人感センサ６１が検知（監視）を開始する（ステップＳ３０２）。また、コントローラマイコン１７はエンジン部１４に対して印刷を指示し、エンジン部１４は印刷を開始する（ステップＳ３０３）。ただし、図３（Ａ）に示すようなロール紙５が給紙されていない状態では印刷を開始することはできないため、その場合は、図３（Ｂ）に示すようなロール紙５が給紙されている状態にするように、表示パネル９を用いてユーザに促す。
印刷開始後、人感センサ６１が人物の接近の検知（監視）を終了しているかどうかを判別する（ステップＳ３０４）。人感センサ６１が人物の接近の検知を終了している場合、処理を終了する。つまり、人感センサ６１が人物の接近の検知を終了するまで、ステップＳ３０１〜Ｓ３０４の処理が繰り返される。これらの処理の実行中に、以下に述べる特定の条件が発生すると、並行して後述する処理が行われる。
【００６０】
図１８は、図１に示した積載部６２に積載された印刷物がすべて取り出されたことを検知した時に実行される処理の一例を説明するためのフローチャートである。以下に説明する処理は、図１６に示した印刷物有無センサ６５が、積載部６２に印刷物が存在する状態から存在しない状態へ変化したことをトリガとして実行される処理である。
【００６１】
撮像部６０が、接近した人物の顔の画像を撮影する（ステップＳ３１１）。つまり、撮像部６０は、印刷物を取り出した人物の顔を撮影する。コントローラマイコン１７は、撮像部６０が撮影した画像を、撮像部用画像処理回路６３を介して人物特定情報として取得する。コントローラマイコン１７は、取得した画像を、印刷ジョブと対応付けて、印刷のログ情報であるジョブ履歴情報の１つとしてシステムメモリ１８に記録する。ジョブ履歴情報は、画像処理装置１が処理した印刷ジョブに関する履歴が保持され、処理後も参照することが可能な情報である。その後、コントローラマイコン１７は、印刷が終了したかどうかを判別する（ステップＳ３１２）。印刷が終了していなければ、処理は終了する。一方、印刷が終了している場合、コントローラマイコン１７が人感センサ６１に対して画像処理装置１への人物の接近の検知を終了するように指示し、人感センサ６１が検知（監視）を終了する（ステップＳ３１３）。
【００６２】
このように、図１７を用いて説明した処理と、図１８を用いて説明した処理との組み合わせにより、印刷中に印刷物がすべて取り出されるたびに、画像処理装置１に接近した人物の顔を撮像部６０が撮影して記録する。複数部数や複数ページの印刷を行う場合は、積載部６２に印刷物が存在する状態から存在しない状態へ複数回変化すれば、その回数だけ人物の顔を撮影して記録することになる。記録された顔画像は、上述した例と同様に、印刷ジョブを送信してきたユーザが確認することができる。
【００６３】
図１９は、図１に示した積載部６２に積載された印刷物の一部またはすべてが取り出されたことを検知した時に実行される処理の一例を説明するためのフローチャートである。以下に説明する処理は、図１６に示した印刷物増減センサ６７が積載部６２に積載された印刷物が一部だけでも取り出されたことを検知するたびに実行される処理である。
【００６４】
撮像部６０が、接近した人物の顔の画像を撮影する（ステップＳ３２１）。つまり、撮像部６０は、印刷物を一部でも取り出した人物の顔を撮影する。コントローラマイコン１７は、撮像部６０が撮影した画像を、撮像部用画像処理回路６３を介して人物特定情報として取得する。コントローラマイコン１７は、取得した画像を、印刷ジョブと対応付けて、印刷のログ情報であるジョブ履歴情報の１つとしてシステムメモリ１８に記録する。ジョブ履歴情報は、画像処理装置１が処理した印刷ジョブに関する履歴が保持され、処理後も参照することが可能な情報である。その後、コントローラマイコン１７は、印刷が終了したかどうかを判別する（ステップＳ３２２）。印刷が終了していなければ、処理は終了する。一方、印刷が終了している場合、印刷物有無センサ６５または印刷物増減センサ６７が積載部６２に積載された印刷物すべてが取り出されたことを検知したかどうかをコントローラマイコン１７が判別する（ステップＳ３２３）。積載部６２に積載された印刷物すべてが取り出されていなければ、処理は終了する。一方、積載部６２に積載された印刷物すべてが取り出されていれば、コントローラマイコン１７が人感センサ６１に対して画像処理装置１への人物の接近の検知を終了するように指示し、人感センサ６１が検知（監視）を終了する（ステップＳ３２４）。
【００６５】
このように、図１７を用いて説明した処理と、図１９を用いて説明した処理との組み合わせにより、印刷中に印刷物が一部だけでも取り出されるたびに、画像処理装置１に接近した人物の顔を撮影して記録する。複数部数や複数ページの印刷を行う場合は、その一部分だけでも印刷物が積載部６２から取り出されれば、その回数だけ人物の顔を撮影して記録することになる。記録された顔画像は、上述した例と同様に、印刷ジョブを送信してきたユーザが確認することができる。
【００６６】
図２０は、図１に示した画像処理装置１における情報処理方法の第１０の例を説明するためのフローチャートである。ここでは、人物が接近しているときは静止画を撮影しておき、印刷物が取り出されたら動画撮影に切り替える処理について説明する。なお、図２０において、図１７を用いて説明した処理と同じ処理については、同じ符号を付与している。図１７を用いて説明した処理と異なる処理は、図１７におけるステップＳ３０３とステップＳ３０４との間にステップＳ３３１〜Ｓ３３６が追加となっている点である。以下、追加された処理について説明する。
【００６７】
ステップＳ３０３にて印刷が開始された後、コントローラマイコン１７は、撮像部６０が動画を撮影中かどうかを判別する（ステップＳ３３１）。撮像部６０が動画を撮影中でない場合、人感センサ６１が人物の接近を検知したかどうかを判別する（ステップＳ３３２）。人感センサ６１が人物の接近を検知した場合、撮像部６０は接近した人物の少なくとも顔の画像を撮影する（ステップＳ３３３）。コントローラマイコン１７は、撮像部６０が撮影した画像を、撮像部用画像処理回路６３を介して人物特定情報として取得する。コントローラマイコン１７は、取得した画像を、印刷ジョブと対応付けて、印刷のログ情報であるジョブ履歴情報の１つとしてシステムメモリ１８に記録する（ステップＳ３３４）。続いて、ステップＳ３０４にて、人感センサ６１が人物の接近の検知（監視）を終了しているかどうかを判別する。また、ステップＳ３３２にて、人感センサ６１が人物の接近を検知しない場合、ステップＳ３０４の処理が行われる。一方、ステップＳ３３１にて、撮像部６０が動画を撮影中である場合、人感センサ６１が人物の接近を検知したかどうかを判別する（ステップＳ３３５）。人感センサ６１が人物の接近を検知していなければ、撮像部６０は動画を撮影を終了する（ステップＳ３３６）。続いて、ステップＳ３０４にて、人感センサ６１が人物の接近の検知（監視）を終了しているかどうかを判別する。また、ステップＳ３３５にて、人感センサ６１が人物の接近を検知している場合、ステップＳ３０４の処理が行われる。
【００６８】
図２１は、図１に示した積載部６２に積載された印刷物がすべて取り出されたことを検知した時に実行される処理の他の例を説明するためのフローチャートである。以下に説明する処理は、図１６に示した印刷物有無センサ６５が、積載部６２に印刷物が存在する状態から存在しない状態へ変化したことをトリガとして実行される処理である。なお、図２１において、図１８を用いて説明した処理と同じ処理については、同じ符号を付与している。図１８を用いて説明した処理と異なる処理は、図１８におけるステップＳ３１２とステップＳ３１３との間にステップＳ３４１，Ｓ３４２が追加となっている点である。以下、追加された処理について説明する。
【００６９】
ステップＳ３１２にて、印刷が終了している場合、人感センサ６１が人物の接近を検知したかどうかを判別する（ステップＳ３４１）。これは、人感センサ６１が人物の接近を検知しなくなるまで繰り返される。人感センサ６１が人物の接近を検知しなくなった場合、撮像部６０は動画を撮影を終了する（ステップＳ３４２）。続いて、ステップＳ３１３にて、コントローラマイコン１７が人感センサ６１に対して画像処理装置１への人物の接近の検知を終了するように指示し、人感センサ６１が検知（監視）を終了する。
【００７０】
図２２は、図１に示した積載部６２に積載された印刷物の一部またはすべてが取り出されたことを検知した時に実行される処理の他の例を説明するためのフローチャートである。以下に説明する処理は、図１６に示した印刷物増減センサ６７が積載部６２に積載された印刷物が一部だけでも取り出されたことを検知するたびに実行される処理である。なお、図２２において、図１９を用いて説明した処理と同じ処理については、同じ符号を付与している。図１９を用いて説明した処理と異なる処理は、図１９におけるステップＳ３２２とステップＳ３２３との間にステップＳ３５１，Ｓ３５２が追加となっている点である。以下、追加された処理について説明する。
【００７１】
ステップＳ３２２にて、印刷が終了している場合、人感センサ６１が人物の接近を検知したかどうかを判別する（ステップＳ３５１）。これは、人感センサ６１が人物の接近を検知しなくなるまで繰り返される。人感センサ６１が人物の接近を検知しなくなった場合、撮像部６０は動画を撮影を終了する（ステップＳ３５２）。続いて、ステップＳ３２３にて、印刷物有無センサ６５または印刷物増減センサ６７が積載部６２に積載された印刷物すべてが取り出されたことを検知したかどうかをコントローラマイコン１７が判別する。
【００７２】
図２０を用いて説明した処理と、図２１を用いて説明した処理との組み合わせにより、印刷中に人物の接近を検知したら、その人物の顔を撮影するとともに、印刷物がすべて取り出されたら動画撮影に切り替え、人物の接近を検知しなくなるまで動画撮影を続ける。これにより、印刷物を取り出した人物の特定がよりやりやすくなる。また、図２０を用いて説明した処理と、図２２を用いて説明した処理との組み合わせにより、さらに印刷中に印刷物が一部だけでも取り出されたときにも静止画撮影から動画撮影に切り替える。そのため、複数部数や複数ページの印刷の場合でその一部分だけでも印刷物が取り出された場合でも、取り出した人物の特定がよりやりやすくなる。
（その他の実施形態）
【００７３】
また、本発明は、上述した実施形態の機能を実現するソフトウェア（プログラム）をネットワークまたは各種記憶媒体を介してシステムあるいは装置に供給し、そのシステムあるいは装置のコンピュータがプログラムを読み出して実行することでも実現される。この場合、そのプログラム、および該プログラムを記憶した記憶媒体は本発明を構成する。
【産業上の利用可能性】
【００７４】
本発明は、画像処理装置、画像形成装置、複合機などの装置など、セキュリティと利便性の確保が必要な装置に利用できる。
【符号の説明】
【００７５】
１    画像処理装置
２３    制御部
６１    人感センサ
６９    情報取得部
【図１】
2020100069.tif 000003
【図２】
2020100069.tif 000004
【図３】
2020100069.tif 000005
【図４】
2020100069.tif 000006
【図５】
2020100069.tif 000007
【図６】
2020100069.tif 000008
【図７】
2020100069.tif 000009
【図８】
2020100069.tif 000010
【図９】
2020100069.tif 000011
【図１０】
2020100069.tif 000012
【図１１】
2020100069.tif 000013
【図１２】
2020100069.tif 000014
【図１３】
2020100069.tif 000015
【図１４】
2020100069.tif 000016
【図１５】
2020100069.tif 000017
【図１６】
2020100069.tif 000018
【図１７】
2020100069.tif 000019
【図１８】
2020100069.tif 000020
【図１９】
2020100069.tif 000021
【図２０】
2020100069.tif 000022
【図２１】
2020100069.tif 000023
【図２２】
2020100069.tif 000024